(57)【要約】【課題】雨水や結露水などによる降水をカロート（納骨棺）の下方側と参道の下方側との領域に排水機構を設けると共に、効率よく集水し、かつ外部に排水させる墓所構造、及びその墓所構造の補修。【解決手段】地表上側に墓石本体を設置すると共に、上記墓石本体の下部側の地中にカロート本体を埋設し、かつ上記カロート本体の更に下部側領域降水を集水する排水機構を設けた墓であって、上記排水機構は、上記カロート本体の下部側領域から参道下側領域までにかかる広域排水機構とされ、上記参道下側の排水機構は、集水された降水を上記排水機構外の他所に排出する排水管を備えた広域排水機構である。【選択図】図１
2020105877.tif 000002
【特許請求の範囲】
【請求項１】
地表の上側に墓石本体が設けられ、地表より下側の地中にカロート本体が埋設される地中埋設型の墓であって、
上記墓の領域において、カロート本体側領域から参道側領域に亘る地中を所望形状にかつ所定深さに掘削して掘削凹部を形成し、
上記掘削凹部の底部に敷設され、かつ外部に連通されて集水を排出する排水管を有する排水機構を形成し、
上記排水機構上であって上記カロート側領域にカロート本体を配置すると共に、上記カロート本体の上側であって地表上に立設される墓石本体を配置し、
その後に上記掘削凹部を埋め戻して形成されることを特徴とする排水機構を備えた墓。
【請求項２】
上記排水管は、有孔パイプであることを特徴とする請求項１記載の排水機構を備えた墓。
【請求項３】
上記排水機構は、水のみを透過可能とする土木シートである吸い出し防止材によって覆われていることを特徴とする請求項１または２記載の排水機構を備えた墓。
【請求項４】
地表上に墓石本体を設置すると共に、上記墓石本体の下側の地中にカロート本体とさらにその下側に雨水や結露水などに降り注いだ降水を集める排水機構を設けた墓であって、
カロート側領域に隣接する参道側領域の地面を所望形状でかつ所定深さに掘削して掘削凹部を形成し、
上記掘削凹部の底部に敷設され、かつ外部に連通されて集水を排出する排水管を有する新設の排水機構を形成すると共に、カロート側領域に配置されている既設の排水機構と協働して排水機能を果たさせ、
その後に上記掘削凹部を埋め戻して形成されることを特徴とする排水機構を備えた墓。
【請求項５】
上記排水管は、有孔パイプであることを特徴とする請求項４記載の排水機構を備えた墓。
【請求項６】
上記排水機構は、水のみを透過可能とする土木シートである吸い出し防止材によって覆われていることを特徴とする請求項４または５記載の排水機構を備えた墓。
【請求項７】
請求項１または請求項４記載の墓の補修であって、
少なくとも参道側領域の地面を所望形状でかつ所定深さに掘削して掘削凹部を形成し、掘削した上記掘削凹部を基点として不具合箇所の補修を行うことを特徴とする排水機構を備えた墓の補修方法。
【発明の詳細な説明】
【技術分野】
【０００１】
本発明は、カロート（納骨棺）の下側と参道の下側とに亘る広い領域であって、参道の下側の領域に外部に排水させる排水管を有する排水機構を備えた墓、及びその補修方法に関する。
【背景技術】
【０００２】
墓所における墓は、故人を偲び弔うための場所であり、故人の遺骨をカロート（納骨棺）に埋葬してこれを顕彰し弔うための場所である。
従来、我が国の墓は、故人を弔い顕彰するための墓石や遺骨を納骨するカロートなどが、地上に立設される地上型（和型）の墓が多かったが、近年は宗派に囚われない公園墓地などのような墓所も多く建設されてきており、そのような墓所の墓では地面より下にカロートが埋設される、所謂地中埋設型の墓（洋型）も普及してきている。
【０００３】
地上型の墓は、一般に地表の上側に盛土して墓石基礎部を形成し、その墓石基礎部内に遺骨を納骨したカロートを埋設すると共に、排水機構も埋設され、かつその墓石基礎部の上段側に墓石が設けられており、地中埋設型の墓は、地表の上側に墓石が設けられるが、地面より下側の地中にカロートが埋設されると共に、カロートの更に下側に排水機構も埋設されている。
このように構成された地上型の墓は、地表の上側に墓石やカロートや排水機構などが設けられているので、湿気や水捌け性に優れていると云われており、また、補修作業も比較的に容易であると云われているが、地中埋設型の墓は、地表の上側に墓石が設けられているものの、地面より下側の地中にカロートや排水機構が埋設されているため、地中に埋設されているカロートや排水機構などの補修は容易ではないと云われている。
また、この地中埋設型は、地表が芝で覆われて参道とされていると、雨天の場合にはより水捌けの管理が必要であった。
【０００４】
従来の地上型の墓と排水機構による水捌けについて特許文献１のようなものがある。
すなわち、墓所区画内の墓の地面上に、コンクリート壁で囲んで盛土した墓石基台を形成し、この墓石基台の上側に一段目の墓石を形成すると共に、墓石の前部には花立てや線香立てや水入れなどからなる供養台を設け、さらに墓石の上方に二段目の墓石である上台石を積み、最後に戒名や俗名、忌日、建立者などを記載した塔石５を立てている。
また、墓石基台の中央部には骨つぼ収納室(カロート)の空間を設け、その骨つぼ収納室の下には砂石層内の下部に排水機構を設けると共に、通水層である砂石層に浸みだした水を排水パイプから墓石基台外に排水している。
【０００５】
また、地中埋設型の墓については特許文献２のような文献がある。墓石本体の下部にカロート本体を埋設した墓であり、カロート本体の墓地への埋設とカロート本体の撤去を行うものが開示されており、カロート本体の底面に連結管を有する排水管を介して地下下方にベースコンクリートで固められた排水機構が設けられている。また、この排水管が墓所の横方向と縦方向に配管されて防水が図られている。
そして、特許文献３のように、墓所の排水を円滑にしてカロート内の湿気をできるだけ少なくするためのものであって、カロートを地下に埋設し、カロートの上部の開口部の一部を蓋石とし、カロートの底部に排水孔を設け、排水孔を基礎玉石内に設けた排水筒に連通するもので、基礎玉石は上部を大きめの玉石とし下部を小さめの玉石とし、それら基礎玉石の中に排水用の排水筒を設置しているため、カロート内に溜まる水や地上よりの降水雨の水捌けがよくなり、溜水も容易に排出できるようにするものである。なお、排水筒は排水層に２つの排水筒を設けてもよいとされている。
【先行技術文献】
【特許文献】
【０００６】
【特許文献１】特開２００４-２１１４２５号
【特許文献２】実登録３０６６３３５号
【特許文献３】特開平０９−０５３３４０号
【発明の開示】
【発明が解決しようとする課題】
【０００７】
上記したように、地上型の特許文献１は、墓を雨水・雪や結露水などの被害から守る排水構造を有した墓であって水捌け性に優れているが、排水機構の補修に関しては、盛土とともに同時に排水機構（暗渠）を設置しているため、それらを撤去してから補修を行うため、施工工数がかかり施工費が割高になるという問題がある。
また、地中埋設型の特許文献２や特許文献３においては、カロート本体を墓地に埋設するために、墓地に孔（掘削凹部）を掘削し、カロート本体をこの孔（掘削凹部）に埋め込むので、地上型に比べてカロート本体の墓地への埋設が容易に行えるという利点があるが、排水性や冬季における凍結融解などに対する対策が必要である。
また、地表を掘削したりするという手間がかかると共に、カロート本体の下部に排水機構を設置しなければならないため、また、その補修に関してはカロート本体を撤去しなければなければならないため、補修費用も大変割高となり、実際にはコスト面や施工面の手間を考慮するとその補修はできなかった。
【０００８】
すなわち、この地下埋設型は、カロート本体の下部に排水機構を設ける構造のため、排水機構に不具合が発生した場合にはカロート自体が邪魔になり、カロートを退かして作業しなければならないため、大変な費用がかかると共に、墓地を購入している遺族にも大変な迷惑がかかることになる。
【０００９】
特許出願人は、上記のような事情に鑑みて、気持ちよく故人を祀るためまた気持ちよく故人を弔うため、地中埋設型の墓において、排水機構性に優れると共に、その補修性に優れた墓及び補修を鋭意研究したものである
【００１０】
本発明は、雨水や雪などの降水やカロート（納骨棺）から浸み出してくる結露水などを、カロート（納骨棺）の下方側の領域と参道下側の領域とよりなる領域の排水機構に集めて外部に排水させる墓、及びその補修方法の提供を目的とする。
【課題を解決するための手段】
【００１１】
本発明は、排水機構を備えた墓として、請求項１記載のように、地表の上側に墓石本体が設けられ、地表より下側の地中にカロート本体が埋設される地中埋設型の墓であって、上記墓の領域において、カロート本体側領域から参道側領域に亘る地中を所望形状にかつ所定深さに掘削して掘削凹部を形成し、上記掘削凹部の底部に敷設され、かつ外部に連通されて集水を排出する排水管を有する排水機構を形成し、上記排水機構上であって上記カロート側領域にカロート本体を配置すると共に、上記カロート本体の上側であって地表上に立設される墓石本体を配置し、その後に上記掘削凹部を埋め戻して形成されることを特徴とする。
また、請求項２記載のように、上記排水管は、有孔パイプであることを特徴とする。
また、請求項３記載のように、上記排水機構は、水のみを透過可能とする土木シートである吸い出し防止材によって覆われていることを特徴とする。
また、請求項４記載のように、地表上に墓石本体を設置すると共に、上記墓石本体の下側の地中にカロート本体とさらにその下側に雨水や結露水などに降り注いだ降水を集める排水機構を設けた墓であって、カロート側領域に隣接する参道側領域の地面を所望形状でかつ所定深さに掘削して掘削凹部を形成し、上記掘削凹部の底部に敷設され、かつ外部に連通されて集水を排出する排水管を有する新設の排水機構を形成すると共に、カロート側領域に配置されている既設の排水機構と協働して排水機能を果たさせ、その後に上記掘削凹部を埋め戻して形成されることを特徴とする。
また、請求項５記載のように、上記排水管は、有孔パイプであることを特徴とする。
また、請求項６記載のように、上記排水機構は、水のみを透過可能とする土木シートである吸い出し防止材によって覆われていることを特徴とする。
また、排水機構を備えた墓の補修方法として、請求項７記載のように、請求項１または請求項４記載の墓の補修であって、少なくとも参道側領域の地面を所望形状でかつ所定深さに掘削して掘削凹部を形成し、掘削した上記掘削凹部を基点として不具合箇所の補修を行うことを特徴とする。
【発明の効果】
【００１２】
本発明は、地表上側に墓石本体を設置しカロート本体を地中に埋設した地中埋設型の墓であって、雨水や結露水など墓に降り注ぎ浸み出した降水を集める排水機構は、カロート本体下側領域から参道下側領域までに亘る広域排水機構とされ、参道下側領域に外部に排水する排水管を設けた排水機構に掘削凹部を介して成形するので、広域の排水機構を有する新設の墓を容易に提供することができる。
また、カロート本体の下側領域に排水機構を設けている既設の墓に対し、参道下側領域を掘削して当該領域に排水管を有する排水機構を付設したので、既設の排水機構と協働する広域領域の排水機構を提供するので、既設の墓に対して排水機能性に優れた墓を容易に提供することができる。
さらに、既設の墓あるいは新設の墓であっても排水機構の補修は、少なくとも墓に接近した参道の地表を所定深さ掘削して掘削凹部を穿設すればよいので、排水機構性に優れた墓をきわめて容易に補修し提供することができる。
【図面の簡単な説明】
【００１３】
【図１】本発明に係る新設の墓構造を示す断面図である。
【図２】本発明に係る既設の墓構造に対する示す断面図である。
【図３】カロート本体と排水機構を示す図である。
【図４】掘削凹部に基づく墓構造を示す工程図である。
【図５】従来の排水機構を有する地中埋設型の墓を示す図である。
【図６】従来の排水機構を示す平面図である。
【発明を実施するための最良の形態】
【００１４】
以下、本発明の実施例を図面に基づき詳細に説明する。
図１は、本発明の第１実施例であり、新設の墓に好適な実施例である。
すなわち、この実施例においては、墓１０は地表上側に墓石本体１１を形成して設置し、遺骨を埋葬するカロート本体（納骨棺）１２を地中に埋設してなる地中埋設型の墓であり、そのさらに地下には排水機構１４が配置される。
すなわち、カロート本体１２の下側の領域はカロート下排水領域（Ｌ１）とされ、参道側の領域は参道下排水領域（Ｌ２）とされ、カロート下排水領域（Ｌ１）と参道下排水領域（Ｌ２）とに亘る広い領域の排水領域（Ｌ１＋Ｌ２＝Ｌ）として設けられている。
【００１５】
具体的には、墓所の区画内において、芝Jが植え付けられた地面Ｇの参道Ｒを介して各故人・各家の墓１０・・・に通じている。
各墓１０の墓石本体１１は、地面Ｇ上に起立設置されると共に、基台１１a、基台１１a上に立設される墓石１１b、基台１１aの前方側である参道に向かって配置される蓋石１１cと香炉１１d・・・などから構成されている。
この墓石本体１１の下部である地中には、地面Ｇを掘り起して形成された掘削凹部Ｘ内に埋設されている（詳細は後記する）筐体のカロート本体１２が配置される。
この筐体であるカロート本体１２は、上面を開口部１２aと壁１２b・・と底部１２cによって囲繞されている。なお、１２dは納骨の仕切り板である。
また、カロート本体１２の底部１２cには、結露水用の排出孔１３が設けられており、カロート本体１２などより浸み出した結露水を下部側の領域に形成されている排水機構１４に排出する。
また、排水機構１４は、カロート本体１２の下側領域に配置され、雨水・雪や結露水などの降水を集めて排出するものであるが、カロート本体１２の下側領域であるカロート下排水領域（L1）から芝Jが植え付けられた参道Ｒの下側領域である参道下排水領域(L2)とよりなる広域の排水領域（Ｌ１＋Ｌ２＝Ｌ））の排水機構とされている。
しかして、この広い領域（L）の排水機構１４は、掘削凹部Ｘに玉砂利などを多段に敷き詰めた砂利・砕石層１４aとされ、砂利・砕石層１４aは雨水などの降水を排水機構の外部に排水する排水管１５が有孔パイプ１５aとして配置されている。
なお、墓石本体１１とカロート本体１２の間は、セメントモルタルなどで接着し、地震等への耐震性を持たせている
また、この広い領域の排水機構１４には、排水に伴う周囲の土砂の流出を防ぐために、排水機構１４と周囲の土砂との間に水のみを透過する機能を持った吸い出し防止材１７を土木シートとして配置する。
なお、広い領域の排水機構Ｌを設けるために、埋め戻し層により掘削凹部Ｘをもとの状態に整える。
また、この墓石本体１１あるいはカロート本体１２などは、従来のように御影石などを使うこともできるが、型枠成形性を考慮するとコンクリート部材により形成されるのが好適である。
【００１６】
さらに、この第１の実施例の構造をその施工・補修とともに説明する。
墓の施工にあたっては、カロート本体１２と参道Ｒに亘る地表Ｇを所定深さ掘削して掘削凹部を穿設する。
そして、この掘削凹部Ｘ（カロート下排水領域（L1）から参道Ｒの下側の領域である参道下排水領域(L2)とよりなる広域の領域（Ｌ１＋Ｌ２＝Ｌ））の掘削凹部内に土木シートである吸い出し防止材を敷設する。
その後、土木シートである吸い出し防止材を敷設した掘削凹部内に、砂利・砕石層１３aを敷設すると共に、排水管を設置し、この参道側に降水を集める排水機構を敷く。
排水機構外の他所に排出する排水管を敷設し、排水管を敷設した後にカロート本体を所定箇所に設置して地中に埋設し固定する。
その地表面に地上に墓石本体を立設した墓とするものである。
掘削凹部を埋め戻しつつ掘削凹部を地固めし養生を行い、養生後に地上に墓石本体を立設した墓とするものである。
掘削凹部は、参道から墓までの総てを含む新設の掘削凹部とする場合と、参道から墓近傍までを掘削凹部する場合とがある。
具体的には、
第１工程：（掘削凹部の形成）
各墓１０・・・を形成する区画の地面Ｇの所定の箇所を、台形状に掘削して墓埋設用の掘削凹部Ｘを形成するが、この前段階において掘削凹部Ｘと連続する排水管を設置する掘削凹部溝を墓所中に条設する。
次いで、各墓１０・・・用としてカロート１２の下部領域（L1）と参道Ｒにかかる領域(L2)とに亘る広い領域（L）の排水機構の排水機構凹部Ｘを掘り起こす。
第２工程：吸い出し防止材敷設
掘削された広い領域（L）の排水機構の掘削凹部の底面に、土木シートである吸い出し防止材を敷く。
第３工程：砂利・砕石層を敷設
さらに、吸い出し防止材を敷いた広域の排水機構の掘削凹部に、砂利・砕石層を敷く
第４工程：排水機構の形成
砂利・砕石層を敷いた後に、外部に連通する排水管（有孔パイプ）を敷き排水機構の形成を行う。
第５工程：カロートの固定
排水機構の敷かれた後の掘削凹部に、カロート本体を設置し、固定する。
第６工程：掘削凹部の埋め戻し
カロートが固定された後に、掘削凹部に土を埋め戻すともに、地固めし養生する。
第７工程：墓の設置
埋め戻しをし、カロート本体の上部がやや地表に出た状態とし、その上に墓石本体を接地する。
第８工程：完成整備
カロート本体の上部に墓石本体を設置し、芝をカロート本体の上部周辺を囲むように養生して完成とする。
【００１７】
このように、この第１の実施例によれば、本発明は、地表上側に墓石本体を設置しカロート本体を地中に埋設した地中埋設型の墓であって、雨水や結露水など墓に降り注ぎ浸みだした降水を集める排水機構は、カロート本体の下部側の領域から参道下側の領域まで亘る広い排水機構とすると共に、参道下側の領域に外部に排水する排水管を設けた排水機構としたので、広い領域の排水機構性に優れた新設の墓を提供することができ、かつ掘削による掘削凹部を介して成形するので、新設の墓を容易に提供することができる。
【００１８】
図２は、本発明の第２実施例であり、排水機構を有する既設の墓に好適であるが、区画の地面Ｇのカロート本体１２の下側の領域には、既に墓石本体１１が起立設置されており、この墓石本体１１の下部である地中には、上部を開口部とする筐体からなるカロート本体１２が埋設されている。
そこで、所定深さ台形状に掘削して墓埋設用の掘削凹部Ｘを穿設する。掘削凹部Ｘは、参道Ｒにかかる墓の領域(L2)までの領域（L）の排水機構とされている。
しかして、この掘削凹部Ｘを掘り返し、排水機構１４を配置し、ついでカロート本体１２を設置し、掘削凹部Ｘに土を埋め戻し、カロート本体１２上に墓１０を立設する。
一方、既に墓所として活用されている場合には、排水機構１４など地中に埋設されている構造物に不具合があった場合、カロート本体１２の下側部位の排水機構はそのままとして、すなわち動かすことなく、地面Ｇの参道側部位にかかる領域を掘削しその領域にある排水管１５を容易に補修することができる。
【００１９】
次に、墓所構造の補修について説明する。
既に墓所として活用されている場合には、排水機構はカロート本体の下部側領域に既に設けられているので、既設の排水機構に対して不具合が発生したような場合には、その補修を行うのであるが、既にある墓石本体やカロート本体を動かし取り除いて補修することは、実際上においてさまざまな問題があり不可能で、既に埋められているカロート本体１２やその上部にある墓１０は動かすことできない。
したがって、参道下側の領域に掘削凹部を新たに掘削し、新たに排水機構を加えて広域排水機構とする必要がある。
したがって、その補修に際しては、芝Jが植え付けられた参道Ｒ側から掘削凹部を穿設することが必要である。
掘削凹部を掘削して、カロート本体１２の下側部位の排水機構１４に到達したならば、この既設の排水機構１４に新たに排水管１５を有する排水機構１４を接続する。
これにより、新たに接続された排水機構１４の排水管１７が、不具合となった既設の排水機構１４に代わって協働することとなる。
このように、支障した排水機構１４はそのままとして、参道に設置された排水機構１４を稼働させるので、容易な補修によって広域領域（L）の排水機構とすることができる。
【００２０】
このように、排水機構の領域は、カロート本体と参道に至る広域の排水機構とされているので、排水機構に不具合があり点県や改修を行う場合でも容易に参道部分を掘削して工事が行える。このため、従来では墓の全面掘削となり、費用も効果となり、また、ほとんど不可能であったが、本発明ではその問題も容易に解決できる。
【符号の説明】
【００２１】
Ｇ      地面
Ｊ      芝
Ｒ      参道
１０    墓
１１    墓石本体
１１ａ   基台
１１ｂ   墓石
１１c    蓋石
１１d    香炉
１２    カロート本体（筐体）
１２a   開口部
１２b   側部
１２c    底部
１２ｄ  区画板
１３    排出孔
１４    排水機構
１４a   砂利・砕石層
１５    排出管
１５a   有孔パイプ  
Ｘ     掘削凹部
１７    防水シート
【図１】
2020105877.tif 000003
【図２】
2020105877.tif 000004
【図３】
2020105877.tif 000005
【図４】
2020105877.tif 000006
【図５】
2020105877.tif 000007
【図６】
2020105877.tif 000008